(57)【要約】【課題】衛生的で使い勝手の良い温水洗浄便座装置の操作装置を提供すること。【解決手段】操作装置の洗浄強さダイヤル１１は洗浄ノズルからの水勢を電動式流量調節弁により調節するために操作される。操作パネル９の座面２６上には、ダイヤル１１が設けられる。ダイヤル１１の回転軸２７は、座面２６の軸孔２５を貫通して組み付けられ、ダイヤル１１の底面１１ａが座面２６に摺接可能となる。ダイヤル１１の表面には一指先が嵌合される一凹部２９のみが設けられる。一凹部２９は常時発光してダイヤル１１の位置を認識しやすくしてある。回転軸２７は、ボリューム抵抗４２に連結され、回転軸２７の回転角変化がその抵抗４２により抵抗値に変換されてコントローラに入力される。コントローラは、ボリューム抵抗４２の抵抗値に基づいて各流量調節弁を制御することにより、ダイヤル１１の回転操作量に応じて洗浄強さを調節する。【選択図】      図３
2004176418.tif 000002
【特許請求の範囲】
【請求項１】
洗浄ノズルから噴出される洗浄水による洗浄強さを調節する温水洗浄便座装置に設けられる操作装置であって、
前記洗浄強さを調節するために回転操作され且つ操作パネルに設けられた回転軸を備える洗浄強さダイヤルと、
前記洗浄強さダイヤルの表面上に設けられ、前記洗浄強さダイヤルの軸方向中心から離れた位置に配置され、一指先が嵌め合わされる大きさの指先用凹部と、
前記指先用凹部を発光せしめる発光手段とを備えたことを特徴とする温水洗浄便座装置の操作装置。
【請求項２】
前記洗浄強さダイヤルが回転操作されるときの前記回転軸の回転角の変化を電気的値に変換するための変換器と、
前記洗浄強さダイヤルの回転操作量に応じて前記洗浄強さを調節するために、前記変換器により変換された電気的値に基づいて作動する電動式調節機器を設けた洗浄強さ制御手段と、
前記洗浄強さダイヤルの回転操作量に応じて前記発光手段の発光量は調整する手段とを更に備えたことを特徴とする請求項１記載の温水洗浄便座装置の操作装置。
【請求項３】
前記指先用凹部は、滑らかな凹曲面より構成されたことを特徴とする請求項１に記載の温水洗浄便座装置の操作装置。
【請求項４】
前記洗浄強さダイヤルは、扁平な円盤状をなし、その外周面は前記操作パネルの表面に対して滑らかに連続するものであることを特徴とする請求項１又は請求項２に記載の温水洗浄便座装置の操作装置。
【請求項５】
前記洗浄強さダイヤルの中心から前記指先用凹部の中心までの距離が、前記指先用凹部の内径の１〜２倍の大きさに設定されたことを特徴とする請求項１乃至請求項３の何れか一つに記載の温水洗浄便座装置の操作装置。
【請求項６】
前記発光手段は、前記指先用凹部に塗布された夜光塗料である、請求項１に記載の温水洗浄便座装置の操作装置。
【請求項７】
前記発光手段は、前記操作パネルの下側に設けられ、前記指先用凹部を下から透過するランプである、請求項１に記載の温水洗浄便座装置の操作装置。
【請求項８】
前記洗浄強さダイヤルの回転方向に沿う方向に延在すべく前記操作パネルに形成された表示面を備え、前記表示面を介して前記操作パネルの下側から光をさせるようにした、請求項１に記載の温水洗浄便座装置の操作装置。
【請求項９】
前記表示面の幅は、前記洗浄強さダイヤルが前記洗浄強さを大きくするように回転される方向に漸増するように設定されている、請求項８に記載の温水洗浄便座装置の操作装置。
【請求項１０】
前記発光手段は、トイレ使用者の検知の有無により、点灯・消灯されるようにした、請求項１に記載の温水洗浄便座装置の操作装置。
【発明の詳細な説明】
【０００１】
【発明の属する技術分野】
この発明は、便器に設置されて人体局部を洗浄するのに使用される温水洗浄便座装置に係り、詳しくは、その操作装置に関する。
【０００２】
【従来の技術】
周知のように、温水洗浄便座装置において人体局部を洗浄する場合、ノズルから当該局部に温水が噴射される。この温水の噴射の強さは、使用者が、操作装置に設けられた洗浄強さダイヤルを回転操作して、自由に調整できるようになっている（例えば、特許文献１参照）。
【０００３】
【特許文献１】
特開２００２−２４２２６２号公報  （第２〜７頁、図１〜１４）
【０００４】
【発明が解決しようとする課題】
ところが、温水洗浄便座装置が装着される便器が設置されているトイレ空間は、一般的に照明が暗く、視力が衰えた老人が温水の噴射の強さを調整しようとした場合、洗浄強さダイヤルを一瞥するのが容易ではない場合も想定され、温水の噴射の強さを調整に難渋する可能性なしとしなかった。
【０００５】
それゆえ、本発明は、かような危惧がない、温水洗浄便座装置の操作装置を提供することを、その技術的課題とする。
【０００６】
【課題を解決するための手段】
上記目的を達成するために、請求項１に記載の発明は、洗浄ノズルから噴出される洗浄水による洗浄強さを調節する温水洗浄便座装置に設けられる操作装置であって、
前記洗浄強さを調節するために回転操作され且つ操作パネルに設けられた回転軸を備える洗浄強さダイヤルと、
前記洗浄強さダイヤルの表面上に設けられ、前記洗浄強さダイヤルの軸方向中心から離れた位置に配置され、一指先が嵌め合わされる大きさの指先用凹部と、
前記指先用凹部を発光せしめる発光手段とを備えたことを趣旨とする。
【０００７】
上記発明の構成によれば、洗浄強さダイヤルの表面上の指先用凹部が発光されるので、洗浄強さダイヤルの表面上の指先用凹部に難なく一指先を嵌め合わせてその指先を回すことにより、洗浄強さダイヤルが回転軸を中心に回転操作される。
【０００８】
上記目的を達成するために、請求項２に記載の発明は、請求項１に記載の発明において、前記洗浄強さダイヤルが回転操作されるときの前記回転軸の回転角の変化を電気的値に変換するための変換器と、前記洗浄強さダイヤルの回転操作量に応じて前記洗浄強さを調節するために、前記変換器により変換された電気的値に基づいて作動する電動式調節機器を設けた洗浄強さ制御手段と、前記洗浄強さダイヤルの回転操作量に応じて前記発光手段の発光量は調整する手段とを更に備えたことを趣旨とする。
【０００９】
上記発明の構成によれば、請求項１に記載の発明の作用に加え、洗浄強さダイヤルの回転操作量に応じて発光手段の発光量が可変となるので、洗浄強さが強（弱）のときは発光量を強く（弱く）することにより、洗浄強さを視覚的に把握できる。
【００１０】
上記目的を達成するために、請求項３に記載の発明は、請求項１に記載の発明において、前記指先用凹部は、滑らかな凹曲面より構成されたことを趣旨とする。
【００１１】
上記発明の構成によれば、請求項１に記載の発明の作用に加え、洗浄強さダイヤルの表面上の指先用凹部に難なく一指先を嵌め合わせてその指先を回すことにより、洗浄強さダイヤルが回転軸を中心に回転操作される。
【００１２】
上記目的を達成するために、請求項４に記載の発明は、請求項１に記載の発明において、洗浄強さダイヤルは、扁平な円盤状をなし、その外周面は操作パネルの表面に対して滑らかに連続するものであることを趣旨とする。
【００１３】
上記発明の構成によれば、請求項１に記載の発明の作用に加え、洗浄強さダイヤルが扁平な円盤状をなし、その外周面が操作パネルの表面に対して滑らかに連続することから、操作パネル上における洗浄強さダイヤルの張り出しが少なく、同ダイヤルにの肌触りが良くなる。従って、操作に使用される指以外の指と洗浄強さダイヤルとの干渉が少なくなり、同ダイヤルの上に自然に手が添えられるようになる。又、操作パネル上における引っかかりが少なく、雑巾等による拭き取りが容易となる。
【００１４】
上記目的を達成するために、請求項５に記載の発明は、請求項１乃至請求項３の何れか一つに記載の発明において、洗浄強さダイヤルの中心から指先用凹部の中心までの距離が、指先用凹部の内径の１〜２倍の大きさに設定されたことを趣旨とする。
【００１５】
上記発明の構成によれば、請求項１乃至請求項３の何れか一つに記載の発明の作用に加え、洗浄強さダイヤルを回転させるときの指先用凹部の円弧状の軌跡が適度なサイズとなり、操作に関与する指や手にとってオーバアクションとなることはない。
【００１６】
上記目的を達成するために、請求項６に記載の発明は、請求項１に記載の発明において、指先用凹部に夜光塗料を塗布することにより発光手段を構成することを趣旨とする。
【００１７】
上記発明の構成によれば、簡単に、発光手段を構成することができる。
【００１８】
上記目的を達成するために、請求項７に記載の発明は、請求項１に記載の発明において、発光手段を、操作パネルの下側に設けられ、指先用凹部を下からに透過するランプから構成することを趣旨とする。
【００１９】
上記発明の構成によれば、簡単に、発光手段の発光量（明るさ）を設定することができる。
【００２０】
上記目的を達成するために、請求項８に記載の発明は、請求項１に記載の発明において、洗浄強さダイヤルの回転方向に沿う方向に延在すべく前記操作パネルに形成された表示面を追加し、表示面を介して操作パネルの下側から光を透過させるようにしたことを趣旨とする。
【００２１】
上記発明の構成によれば、洗浄強さダイヤルの位置の認識を、表示面の占有面積の拡大と発光とも相乗により、容易とすることができる。
【００２２】
上記目的を達成するために、請求項９に記載の発明は、請求項７に記載の発明において、表示面の幅は、洗浄強さダイヤルが洗浄強さを大きくするように回転される方向に漸増するように設定されていることを趣旨とする。
【００２３】
上記発明の構成によれば、簡単に、洗浄強さをダイヤルの位置を示す表示面が絵文字となり、当該位置の認識が極めて容易となる。
【００２４】
上記目的を達成するために、請求項１０に記載の発明は、請求項１に記載の発明において、前記発光手段は、トイレ使用者の検知の有無により、点灯・消灯されるようにしたことを趣旨とする。
【００２５】
上記発明の構成によれば、発光手段はトイレ使用時しか点灯しないので、常時点灯に比べて、省エネを図ることができる。
【００２６】
【発明の実施の形態】
以下、本発明の温水洗浄便座装置の操作装置を具体化した一実施の形態を図面を参照して詳細に説明する。
【００２７】
図１に温水洗浄便座装置（以下、単に「洗浄装置」と称する。）１の平面図を、図２に同装置１の側面図をそれぞれ示す。便器２の上に設置された洗浄装置１は、便器２の後部上面に設けられた装置本体３と、装置本体３に回動可能に設けられた便蓋４及び便座５と、便座５の右側において装置本体３から張り出された操作装置６とを備える。便座５の後部下方において、装置本体３には洗浄ノズルとしてのシャワーノズル７及びチャームノズル８が設けられる。これらノズル７，８は、便座５に着座した使用者の局部を洗浄するために洗浄水を噴出するものである。この洗浄装置１は、両ノズル７，８による洗浄を含む洗浄関連機能の他に、温水ヒータによる加熱、洗浄後の温風ファンによる乾燥、便座ヒータによる便座５の暖房等の洗浄に関連しない非洗浄関連機能を備える。温水ヒータ及び温風ファン等は装置本体３の内部に設けられる。便座ヒータは便座５の内部に設けられる。
【００２８】
操作装置６は、その上面に操作パネル９を備える。図３に操作装置６及び操作パネル９の平面図を示す。操作装置６は、装置本体３と一体をなす本体カバー１０上に固定される。操作パネル９のほぼ中央には、本発明の洗浄強さダイヤル（以下、単に「ダイヤル」と称する。）１１が設けられる。このダイヤル１１は、前記ノズル７，８から噴出される洗浄水による洗浄強さを調節するために操作される。この洗浄装置１は、各ノズル７，８から噴出される洗浄水による洗浄強さを、本発明の電動式調節機器としての後述する電動式の第１及び第２の流量調節弁４６，４７（図１０参照）により調節するように構成される。従って、ダイヤル１１は、これら流量調節弁４６，４７による洗浄強さを調節するために使用者の人差し指等の指先で操作される。そのために、このダイヤル１１は、指先で回すのに好適な外径と厚みを有する。操作パネル９は、このダイヤル１１を境に、前側パネル領域（図面左側）と後側パネル領域（図面右側）とに二分される。
【００２９】
前側パネル領域には、洗浄関連機能を操作するためのダイヤル１１以外の洗浄関連スイッチ群１２〜１５が設けられる。洗浄関連スイッチ群１２〜１５は、停止スイッチ１２と、洗浄用のおしりスイッチ１３及びビデスイッチ１４と、一対をなす洗浄位置スイッチ１５とを含む。おしりスイッチ１３は、おしり洗浄を開始させるために、ビデスイッチ１４はビデ洗浄を開始させるために、停止スイッチ１３はそれらの洗浄を停止させるためにそれぞれ操作される。洗浄位置スイッチ１５は、両ノズル７，８を位置調節するために操作される。
【００３０】
ここで、ダイヤル１１は、他のスイッチ１２〜１５よりも大形に構成される。停止スイッチ１２、おしりスイッチ１３及びビデスイッチ１４と、ダイヤル１１とは、その順序でほぼ等間隔に一列に配置されている。停止スイッチ１２は、操作パネル９上の前端に配置され、急を要する停止操作の際には、使用者が他のスイッチ１３〜１５から瞬時に区別して操作できるようになっている。これら洗浄関連の停止スイッチ１２、おしりスイッチ１３、ビデスイッチ１４、洗浄位置スイッチ１５及びダイヤル１１は、毎回頻繁に使用されるものである。
【００３１】
後側パネル領域には、非洗浄関連機能を操作するための非洗浄関連スイッチ群１７〜２１が設けられる。この非洗浄関連スイッチ群１７〜２１は、乾燥スイッチ１７、節電スイッチ１８、電源スイッチ１９、便座スイッチ２０及び温水スイッチ２１を含む。乾燥スイッチ１７は、洗浄後の乾燥を行うために操作される。この乾燥スイッチ１７は、乾燥温度設置も兼ねて操作されるものであり、押す度に設定温度が低温側から高温側へ段階的に切り替わるようになっている。節電スイッチ１８は、この洗浄装置１で使用される電力を節約するために、電源スイッチ１９は、この洗浄装置１の運転を入り切りするためにそれぞれ操作される。便座スイッチ２０は、便座温を切り換えるため、温水スイッチ２１は、洗浄水温を切り換えるためにそれぞれ操作される。これら非洗浄関連スイッチ群１７〜２１の中でも、乾燥スイッチ１７がダイヤル１１に最も近付けられて配置されている。尚、停止スイッチ１２は、乾燥スイッチ１７により開始される乾燥動作を停止させるためにも操作れるようになっている。これら非洗浄関連スイッチ群１７〜２１は、一旦設定が行われた後は、洗浄関連スイッチ群１２〜１５に比べて使用頻度が少ないものである。
【００３２】
次に、ダイヤル１１の関連構成について詳しく説明する。図４には、ダイヤル１１に対応する操作パネル９上の部位を平面図に示す。図５には、ダイヤル１１の側面図を、図６には、同じくダイヤル１１の平面図をそれぞれ示す。図７には、図３のＡ−Ａ線に沿った断面図を、図８には、図５においてダイヤル１１を操作パネル９から取り外した状態を断面図にそれぞれ示す。
【００３３】
図４に示すように、操作パネル９上のダイヤル１１を取り付ける部位には、中央に軸孔２５を有するダイヤル座面２６が設けられる。このダイヤル座面２６は、平坦な円環状をなし、軸孔２５との境には円環状のリブ２６ａが突設される。図５，６に示すように、ダイヤル１１は、扁平な円盤状をなしており、その外周面は操作パネル９の表面に対して滑らかに連続する形状を有する。このダイヤル１１の底面１１ａからは一体に形成された回転軸２７が突設される。この回転軸２７上には、一つの凸条２７ａが設けられ、その先端部には切欠２７ｂが形成される。又、この底面１１ａ側には、円環状のリブ２８ａと放射状のリブ２８ｂがそれぞれ形成される。一方、このダイヤル１１の表面１１ｂ上には、その中心Ｐ１から離れた位置に、一本の指先が嵌め合わされる一つの指先用凹部２９のみが設けられる。この指先用凹部２９は、滑らかな凹曲面より構成される。この実施の形態では、図６に示すように、ダイヤル１１の中心Ｐ１から指先用凹部２９の中心Ｐ２までの距離Ｒ１は、指先用凹部２９の内径Ｄ１の１〜２倍程度の大きさに設定される。ここでは、その大きさの倍率が「１．３３」に設定される。上記の距離Ｒ１は、ダイヤル１１を回転させたときに、その回転に伴って移動する指先用凹部２９の円弧軌跡の半径に相当する。又、指先用凹部２９の内径Ｄ１は通常の大人の指先の腹の外径に相当する。従って、距離Ｒ１と内径Ｄ１との倍率は、ダイヤル１１を一本の指先で回転させる際にその指先が描く円弧軌跡の大きさの程度を表すことになる。指先が描く円弧軌跡が大き過ぎる場合には、指先を動かすためにその指及び手の動きがオーバーアクションとなり、使用者に過大な負担がかかる。これに対し、この円弧軌跡が小さすぎる場合には、指先の動きが少なくなり過ぎて、洗浄強さの微妙な調節が困難になる。従って、この実施の形態では、使用者が指先を動かすのに負担にならず、しかも洗浄強さの微妙な調節を行うことができるように、上記距離Ｒ１と内径Ｄ１との倍率が適度に設定されている。
【００３４】
また、指先用凹部２９の内面には夜光塗料が塗布されている。これにより、指先用凹部２９は常時発光することになり、トイレ照明が暗くても、指先用凹部２９への指の挿入が難なく行え、ダイヤル１１の操作性を容易ならしめることができる。
【００３５】
尚、指先用凹部２９の常時発光は、夜光塗料に代えて、図１１に示すように、操作パネル９の窟部に埋設されたランプ８０を常時通電・点灯させておくようにしても良い。この場合、指先用凹部２９の肉厚はランプ８０から照射される光を透過させるように薄くしておくか、ダイヤル１１の材質たる樹脂の色を透過性の良い色（例えば乳白色）に設定する必要がある。
【００３６】
図７，８に示すように、ダイヤル１１の回転軸２７は、操作パネル９上のダイヤル座面２６の軸孔２５を貫通して組み付けられる。この状態で、ダイヤル１１の底面１１ａがダイヤル座面２６上に近接して配置され、同ダイヤル１１に上から力が加わることにより、両者１１ａ，２６が摺接可能に設けられる。軸孔２５を貫通した回転軸２７は、操作パネル９の下方において、本体カバー１０に設けられた対応する軸受部３０に組み付けられ、更に本体カバー１０の下方で制御基板４１上に固定されたボリューム抵抗４２に連結される。
【００３７】
図９には、本体カバー１０の軸受部３０を平面図に示す。この軸受部３０は、本体カバー１０に形成された通し窓３１の片隅に円弧状に形成される。軸受部３０の内壁には、その円弧面に沿って内向フランジ３３が形成される。内向フランジ３３の一部には、切欠３３ａが形成される。内向フランジ３３は、回転軸２７の凸条２７ａの切欠２７ｂに嵌め合わされる。内向フランジ３３の切欠３３ａは、両者３３，２７ｂを組み付けるために、最初に凸条２７ａを整合させるところである。即ち、凸条２７ａを内向フランジ３３の切欠３３ａに整合させながら回転軸を軸受部３０に挿通させ、その凸条２７ａの切欠２７ｂが内向フランジ３３の切欠３３ａと整合したところで、ダイヤル１１を回転させる。これにより、凸条２７ａの切欠２７ｂが内向フランジ３３に嵌め合わされて、回転軸２７の軸方向の移動が規制される。
【００３８】
ボリューム抵抗４２は、ダイヤル１１が回転操作されるときの回転軸２７の回転角の変化を電気的値（抵抗値）に変換するためのものであり、本発明の変換器に相当する。図７，８に示すように、ボリューム抵抗４２は、入力軸４２ａを備え、この入力軸４２ａが上方へ向けて配置される。この入力軸４２ａに対して、ダイヤル１１の回転軸２７が連結される。回転軸２７は二重筒構造をなし、その内側の内筒２７ｃに対してボリューム抵抗４２の入力軸４２ａが嵌め込まれる。又、入力軸４２ａの基端部には、ホルダスイッチ４３が装着され、ナット４４により固定される。
【００３９】
次に、ダイヤル１１に関連する電気的構成を説明する。図１０にそのブロック図を示す。
【００４０】
この操作装置６は電気的構成としてコントローラと４５を備える。コントローラ４５は、本発明の洗浄強さ制御手段に相当し、ボリューム抵抗１１が接続される。又、コントローラ４５には、電動式の第１及び第２の流量調節弁４６，４７が接続される。コントローラ４５は、ダイヤル１１の回転操作量に応じて洗浄強さを調節するために、回転操作量に応じてボリューム抵抗４２により変換された抵抗値に基づき第１及び第２の流量調節弁４６，４７をそれぞれ制御する。即ち、コントローラ４５は、ボリューム抵抗４５からの抵抗値に基づき、第１及び第２の流量調節弁４６，４７の開度を制御するための制御信号を出力する。この制御信号に基づき各流量調節弁４６，４７の開度が制御されることにより、各ノズル７，８から噴出される洗浄水の勢いが調節され、人体局部の洗浄強さが調節される。尚、各ノズル７，８の何れが使用されるかは、別途設けられた三方弁（図示略）が、おしりスイッチ１３及びビデスイッチ１４の操作に基づいて制御されることにより選択されるようになっている。
【００４１】
以上説明したように本実施の形態の洗浄装置１の操作装置６によれば、次のように使用者が操作することができる。即ち、便座５に着座した使用者が、操作パネル９上のダイヤル１１の近傍に片手を添え置き、そのダイヤル１１の表面１１ｂ上の指先用凹部２９に、上から人差し指等の指先の腹をあてがい嵌め合わせる。その指先を軽く回すことにより、そのダイヤル１１が回転軸２７を中心に回転操作される。そして、この回転軸２７の回転角の変化がボリューム抵抗４２により抵抗値に変換され、その抵抗値に基づきコントローラｂ４５により電動式の第１及び第２の流量調節弁４６，４７が制御される。これにより、ダイヤル１１の回転操作量に応じて、各ノズル７，８から噴出される洗浄水による洗浄強さが調節される。このため、使用者は、ダイヤル１１の外周を複数の指先で摘むことなく、単に一本の指先だけでダイヤル１１を軽快かつ確実に回転させて洗浄強さの調節を操作することができる。又、指先用凹部２９は、ダイヤル１１を回転させたときの回転角の位置を示すことにもなるので、使用者は自分がどの程度の洗浄強さに調節しているいかを確認することができる。このようにダイヤル１１の使い勝手を、従来の摘みに比べて向上させることができる。
【００４２】
この実施の形態のダイヤル１１は、指先一つで回転操作することができるので、従来の摘み６７Ａ，６７Ｂとは異なり、ダイヤル１１自体を横方向へ捩り傾かせるような力が加わることがない。従って、ダイヤル１１と操作パネル９との隙間を拡げたり、ダイヤル１１の回転軸２７に連結されるボリューム抵抗４２等の内部部品に無理な応力が作用したりすることがない。このため、操作装置６の内部へ水が侵入したり、内部部品が無理な応力により破損したりするおそれがない。ここで、この実施の形態では、ダイヤル１１の底面１１ａが平坦なダイヤル座面２６に近接して摺接可能に設けられることから、通常は回転するダイヤル１１がダイヤル座面２６に干渉することはない。又、ダイヤル座面２６と軸孔２５との境にはリブ２６ａが形成されており、ダイヤル１１とダイヤル座面２６との通常の隙間も極めて狭くなっている。このため、万が一、操作パネル９上に水が零れたとしても、軸孔２５から本体カバー１０内部への水の侵入を防止することができる。更に、ダイヤル１１に上から無理な押圧力が作用したとしても、その底面１１ａが平坦なダイヤル座面２６で受け持たれることから、ダイヤル１１が押圧力により捩れることがなく、本来のダイヤル１１の姿勢が歪むこともない。
【００４３】
この実施の形態では、ダイヤル１１の表面１１ｂ上は滑らかで、単に一つの指先用凹部２９が有るだけなので、その表面１１ｂにおける引っかかりが全くなく、トイレ室内の特有の汚れが付着したとしても雑巾等による拭き取りが容易となる。このため、ダイヤル１１としては、汚れを溜まり難くすることができ、汚れが溜まっても雑巾等による拭き掃除を容易なものにすることができ、拭き残しをなくすことができ、衛生的なものとすることができる。更に、ダイヤル１１の表面１１ｂ上が滑らかで突起物がないということから、従来の洗浄強さ摘みのように、突起物に指が当たって衝撃や痛みを感じることがない。このため、身体の不自由な使用者が不用意に触れても衝撃や痛みを回避することができるようになり、操作装置６としてのバリヤフリー性を高めることができる。
【００４４】
この実施の形態の操作装置６によれば、ダイヤル１１の指先用凹部２９が滑らかな凹曲面であることから、その凹部２９での指先の動きが滑らかとなり、そのダイヤル１１を回転させるときの抵抗感が少なくなる。このため、ダイヤル１１を一層軽いフィーリングで操作することができ、その使い勝手を一層高めることができる。又、指先用凹部２９に付着した汚れの雑巾等による拭き取りが容易となることから、拭き掃除を一層容易なものとすることができ、ダイヤル１１の衛生性を高めることができる。
【００４５】
この実施の形態の操作装置６によれば、ダイヤル１１が扁平な円盤状をなしており、その外周面が操作パネル９の表面に対して滑らかに連続していることから、操作パネル９上におけるダイヤル１１の張り出しが少なく、同ダイヤル１１の肌触りが良くなる。従って、操作に使用される指以外の指とダイヤル１１との干渉が少なくなり、同ダイヤル１１の上に自然に手が添えられるようになる。この意味でも、ダイヤル１１の操作フィーリングをより一層向上させることができ、使い勝手のより一層の向上を図ることができる。又、操作パネル９上におけるダイヤル１１による引っかかりが少なく、雑巾等による拭き取りが容易になる。このため、ダイヤル１１のみならず、操作パネル９の全体の拭き掃除を容易で確実なものにすることができ、操作パネル９の全体を衛生的に保つことができる。
【００４６】
この実施の形態の操作装置６によれば、ダイヤル１１において、その中心Ｐ１から指先用凹部１９の中心Ｐ２までの距離Ｒ１が、指先用凹部２９の内径Ｄ１の１〜２倍、特には「１．３３倍」の大きさに設定されている。従って、このダイヤル１１を回転させるときに指先用凹部２９が描く円弧軌跡が適度なサイズとなり、操作に関与する使用者の指や手にとってオーバアクションとなることがなく、指や手の関節の動きを少なくすることができる。このため、使用者の操作に対する負担を軽減することができ、ダイヤル１１としての使い勝手の更なる向上を図ることができる。
【００４７】
また、洗浄強さダイヤル１１の位置を更に認識しやすくするために、図１２及び図１３に示すように、洗浄強さダイヤル１１の回転方向に沿う方向に沿って、操作パネル９に透明若しくは薄い色のアクリル板９０を嵌め込み、下からランプ９２を点灯させるようにしても良い。
【００４８】
尚、本発明は前記実施の形態に限定されるものではなく、発明の趣旨を逸脱することのない範囲で、下記に示すように、構成の一部を適宜に変更して実施することもできる。
【００４９】
（１）ランプ８０・９２の発光量を洗浄強さに応じて調整させるようにすることも可能である。すなわち、ボリューム４２の回転各角度の応じて変化する抵抗値に反比例した電圧をランプ８０・９２に印加させることにより、洗浄強さが強（弱）の場合、発光量つまり照度を大きく（少なく）させるようにすることが可能となる。
【００５０】
（２）ランプ８０・９２の点灯・消灯を、トイレ内の人の有無に依拠させるようにしても良い。具体的には、人検知センサをトイレ内の適所（便座装置に付設が望ましい）に設け、このセンサのオン・オフに応じて、ランプ８０・９２の点灯・消灯する回路をコントローラ４５に持たせるようにすることも可能である。
【００５１】
（３）前記実施の形態では、操作装置６を洗浄装置１に一体的に設けたが、操作パネルを洗浄装置とは別体のリモコンの操作盤に設けても良い。この場合、操作盤を洗浄装置から離して壁等に取り付けて使用することになるが、この場合にも、前記実施の形態と同様に、ダイヤルに関連して操作装置を衛生的なものにすることができ、その使い勝手を向上させることができる。
【００５２】
（４）前記実施の形態では、電動式調節機器として、第１及び第２の流量調節弁４６，４７を設けたが、これに限られるものではなく、洗浄スイッチトリラクタンスモータの吐出量を調節することのできる電動式ポンプを設けてもよい。
【００５３】
【発明の効果】
請求項１に記載の発明によれば、洗浄強さダイヤルとしては、汚れを溜まり難くすることができ、汚れの拭き掃除を容易なものにすることができ、拭き残しをなくすことができて、衛生的なものとすることができる。併せて、指先一つだけで軽快かつ確実に洗浄強さの調節を操作することができ、使い勝手を向上させることができる。しかも、発光により指挿入を簡単にできる。
【００５４】
請求項２に記載の発明によれば、請求項１に記載の発明の効果に対して、拭き掃除を一層容易なものとすることができ、洗浄強さダイヤルの衛生性を高めることができる。併せて、洗浄強さダイヤルを一層軽いフィーリングで操作することができ、その使い勝手を一層高めることができる。
【００５５】
請求項３に記載の発明によれば、請求項１又は請求項２に記載の発明の効果に対して、操作パネル全体の拭き掃除を容易で確実なものにすることができ、操作パネル全体を衛生的に保つことができる。併せて、洗浄強さダイヤルの操作フィーリングをより一層向上させることができ、その使い勝手のより一層の向上を図ることができる。
【００５６】
請求項４に記載の発明によれば、請求項１乃至請求項３の何れか一つに記載の発明の効果に加え、使用者の操作に対する負担を軽減することができ、洗浄強さダイヤルとしての使い勝手の更なる向上を図ることができる。
【００５７】
請求項５に記載の発明によれば、簡単に、発光手段を構成することができる。
【００５８】
請求項６に記載の発明によれば、簡単に、発光手段の発光量（明るさ）を設定することができる。
【００５９】
請求項７に記載の発明によれば、洗浄強さダイヤルの位置を示す表示面を大きく設定でき、当該位置の認識を発光と相まって、容易に把握することができる。
【００６０】
請求項８に記載の発明によれば、洗浄強さダイヤルの位置を示す表示面が光る絵文字となり、当該位置の認識を極めて容易ならしめることができる。
【図面の簡単な説明】
【図１】一実施の形態に係り、温水洗浄便座装置を示す平面図である。
【図２】温水洗浄便座装置を示す側面図である。
【図３】操作装置の操作パネルを示す平面図である。
【図４】操作パネルのダイヤル座面とダイヤルを示す部分平面図である。
【図５】ダイヤルを示す正面図である。
【図６】ダイヤルを示す平面図である。
【図７】図３のＡ−Ａ線に沿った断面図である。
【図８】図７においてダイヤルを取り外した状態を示す断面図である。
【図９】本体カバーの軸受部を示す平面図である。
【図１０】電気的構成を示すブロック図である。
【図１１】図７に示す構成の変形例を示す断面図である。
【図１２】洗浄強さダイヤルを示す表示装置の例の平面図である。
【図１３】図１２に示す装置の下側の断面図である。
【符号の説明】
１  洗浄装置
６  操作装置
７  シャワーノズル
８  チャームノズル
９  操作パネル
１１  洗浄強さダイヤル
２５  軸孔
２６  ダイヤル座面
２７  回転軸
２９  指先用凹部
４２  ボリューム抵抗（変換器）
４５  コントローラ（洗浄強さ制御手段）
４６  第１流量調節弁（電動式調節機器）
４７  第２流量調節弁（電動式調節機器）
【図１】
2004176418.tif 000003
【図２】
2004176418.tif 000004
【図３】
2004176418.tif 000005
【図４】
2004176418.tif 000006
【図５】
2004176418.tif 000007
【図６】
2004176418.tif 000008
【図７】
2004176418.tif 000009
【図８】
2004176418.tif 000010
【図９】
2004176418.tif 000011
【図１０】
2004176418.tif 000012
【図１１】
2004176418.tif 000013
【図１２】
2004176418.tif 000014
【図１３】
2004176418.tif 000015